(57)【要約】
【課題】カセット枠状基体の外側面と包埋皿の水密枠とを確実に、設計位置に嵌合するとともに、その嵌合状態を維持できるようにする。
【解決手段】開口部２ａの上端面周縁４ｓ外側に水密枠１４を突設したバリ無し包埋皿５９と、カセット枠状基体１１の外周面１１ａが前記水密枠１４と水密に嵌合する四角形の病理組織試料用カセットＳＣと、を備えた包埋ブロック作製具であって；前記水密枠１４の内周面１４ａに、カセット位置決め用ストッパー突起６１を設け、前記カセット枠状基体１１の外周面１１ａに、前記カセット位置決め用ストッパー突起６１と水密に嵌合するカセット位置決め用受け凹部１１ｅを設ける。
【選択図】図４
0003100779.tif 000002
【実用新案登録請求の範囲】
【請求項１】
カセット枠状基体の外周面が、バリ無し包埋皿の開口部の上端面周縁外側に突設した水密枠と水密に嵌合する四角形の病理組織試料用カセットであって；
前記カセット枠状基体の外周面に、前記水密枠のカセット位置決め係止部と係合する、凹状、又は、凸状のカセット位置決め係合部を設けたことを特徴とする病理組織試料用カセット。
【請求項２】
開口部の上端面周縁外側に水密枠を突設したバリ無し包埋皿と、カセット枠状基体の外周面が前記水密枠と水密に嵌合する四角形の病理組織試料用カセットと、を備えた包埋ブロック作製具であって；
前記水密枠の内周面に、カセット位置決め用ストッパー突起を設け、
前記カセット枠状基体の外周面に、前記カセット位置決めストッパー突起と水密に嵌合するカセット位置決め用受け凹部を設けたことを特徴とする包埋ブロック作製具。
【考案の詳細な説明】
【技術分野】
【０００１】
この発明は、病理組織試料の包埋ブロックの成形時に用いられる、包埋ブロック作製具に関するものであり、更に述べると、臨床医が病気の診断及び治療方針を決めるために、患者から採取した病理組織試料を薄切して染色標本にして、それを前記臨床医に返送するまでの間における病理組織試料の作製管理工程の中で用いる該病理試料の包埋ブロックの成形時の包埋皿とそれに嵌合するカセット（枠状基体）に関するものである。
【背景技術】
【０００２】
従来、この種の作業に於いては、臨床医によって各患者から採取された病理組織試料を、各患者名またはその他のデータの記載されたラベル等が貼られた容器に収納して、各患者の属性と臨床診断や所見等が記載された検査依頼書と一緒にして、それらを郵送やメッセンジャー等の適宜の手段で移送している。
【０００３】
臨床医から離れた場所の病理検査側に移送されてきた、上記の容器に収納されている各患者の検体試料を、そこで病理医が病理診断する為の標本作製作業前の患者検体の受付・エントリー時に、その患者試料容器と一緒に添付されてきている病理診断検査依頼書と、各患者の名前と依頼内容と病理組織試料の状況等を照合して、その病理組織試料がその依頼書の患者のものであることを確認する。
【０００４】
その後、前記受付・エントリー時に於いて、臨床医の病理組織試料採取時の各患者の患者ＩＤ番号やカルテ番号にも患者検体の集配員またはメッセンジャーの検体受領時の病理組織試料照合乱数番号にも関係しない、連続スペック番号かサンプル番号で新しくその患者試料番号が記載された別の容器（カセット）に、トリミングされたその患者の前記病理試料を収納する。
【０００５】
このカセットは、約３０年以上前にアメリカで開発された試料処理籠兼試料包埋ブロック枠状基体であり、ミクロトームにワンタッチで脱着できるシステム化の為に、そのアダプターに嵌合する為の大きさ外法は約４０×２８×６mmになっていて、この外法の位置にアダプターの係止爪が嵌合してカセット枠状基体を固定している。全てのカセットは、この位置を持っている。
【０００６】
その後、標本作製のための薬液処理を行い、各全ての試料をピンセット等で摘んで包埋皿の底部に移し、包埋剤で包埋して台木（基体）に付け、その包埋剤の凝固後、包埋ブロックの基体の外周囲にできる包埋剤の余分なバリを削って排除し（バリ取り作業）、包埋ブロック試料を完成する。
【０００７】
このバリ取り作業は、面倒であり、時間もかかる。その上、作業中にデータ記載面を傷付け機械的な自動読み取りができなくなることもある。
そこで、本件考案者は、前記問題を解決するため、前記バリが発生しない包埋ブロック試料を作成できる、カセットとバリ無し包埋皿とを発明し、特許出願した（特許文献１参照）。
【０００８】
この特許文献１の発明は、上側に開口部を有し、その下側に底面外周面より少ない面積にて突設した窓口付き多孔支持底板を形成した枠状基体と、該枠状基体内に配置する蓋付き多孔皿と、該多孔支持底板の外周面に着脱自在に嵌合する支持体付き皿状多孔底板からなる病理組織試料カセットであって、前記多孔支持底板の外周面を病理組織試料の包埋皿の内周面と水密に嵌合する形状にし、該枠状基体の外周面と包埋皿の外周面とが殆ど一致することを特徴とする。
【０００９】
【特許文献１】特開２００２−３０３５６８号公報（特願２００１−１０５００９号）
【００１０】
しかし、一般的に使用されている従来のカセットには、「底面外周面より少ない面積にて突設した多孔支持底板」は無く、カセットの試料番号（連続スペック番号やサンプル番号）等の印字プリンターも多くはその形状に合わせた使用になっているので、この発明を利用することができない。勿論、突設した多孔支持底板を持つカセット底部用の印字プリンターを作製したり、開口部や多孔支持底板を工夫加工して既成の印字プリンター使用に合わせることもできるが、大多数の既成印字プリンター使用に合う、従来のカセット底部を用いたバリ無し包埋皿は、存在しない。
【００１１】
そこで、本考案者は、この問題を解決するため、バリ無し包埋皿とそのカセットを発明をし、特許出願した（特願２００２−２９０５３４号  以下「先出願」という）。
この先出願に係る発明は、図１〜図３に示す様に、包埋皿５９の開口部２ａの周縁４ｓ外側に、四角形の病理組織試料用カセットＳＣのカセット枠状基体１１の外側面１１ａと水密に嵌合するための、水密枠１４を一体的に突設したことを特徴とする。
【００１２】
なお、前記図において、３は収容底部、５は基準マーク、９はデータ記載面、１０は多孔底面、１４ａは内周面、１４ｂは外周面、１４ｆはカセットの側壁面形状に合わせた形状、１６ａはカセット取り出し部、をそれぞれ示す。
【考案の開示】
【考案が解決しようとする課題】
【００１３】
先出願の発明では、図３に示すように、包埋作業時にバリ無し包埋皿５９の所定の位置からカセットＳＣが間隔Ｌズレてしまい、バリ無し包埋作業に差し障りが生じることがある。
【００１４】
この考案は、上記事情に鑑み、カセットの外側面と包埋皿の水密枠とを確実に、設計位置に嵌合するとともに、その嵌合状態を維持できるようにすることを目的とする。
【課題を解決するための手段】
【００１５】
この考案は、カセット枠状基体の外周面が、バリ無し包埋皿の開口部の上端面周縁外側に突設した水密枠と水密に嵌合する四角形の病理組織試料用カセットであって；前記カセット枠状基体の外周面に、前記水密枠のカセット位置決め係止部と係合する、凹状、又は、凸状のカセット位置決め係合部を設けたことを特徴とする。
この考案は、開口部の上端面周縁外側に水密枠を突設したバリ無し包埋皿と、カセット枠状基体の外周面が前記水密枠と水密に嵌合する四角形の病理組織試料用カセットと、を備えた包埋ブロック作製具であって；前記水密枠の内周面に、カセット位置決め用ストッパー突起を設け、前記カセット枠状基体の外周面に、前記カセット位置決め用ストッパー突起と水密に嵌合するカセット位置決め用受け凹部を設けたことを特徴とする。
【考案の効果】
【００１６】
この考案は、水密枠の内周面に、カセット位置決め用ストッパー突起を設け、
前記カセット枠状基体の外周面に、前記カセット位置決め用ストッパー突起と水密に嵌合するカセット位置決め用受け凹部を設けたので、前記ストッパー突起と前記受け凹部とが設計位置にならないと、嵌合できない。そのため、前記両者は、位置決め手段となるため、作業者の誤操作が無くなるので、正確に設計通りに嵌合させることができる。
【００１７】
又、前記両者は、移動を規制するストッパー手段にもなるので、嵌合後に位置ズレが発生することが無く、従って、設計通りの位置を確実に維持することができる。
【００１８】
該カセット枠状基体の外周面に形成された、カセット位置決め用受け凹部は、従来のカセット印字プリンターの印字作業や作業者のデータ手書き作業にも邪魔にならないので、作業能率を低下させることもない。
【００１９】
該カセット位置決め用受け凹部の、該カセット枠状基体の外周面上の形成位置や大きさも、必要があれば変更したり小さくすることができる。従って、従来の標本作製工程において、作業者にとって便利で慣れた作業工程は、そのまま継承することができる。そのため、従来と同様に作業ができるので、作業能率が低下することもない。
【考案を実施するための最良の形態】
【００２０】
この考案の実施の形態を図４〜図１４により説明する。
包埋ブロック作製具は、バリ無し包埋皿５９と、カセット枠状基体１１を有する病理組織試料用カセットＳＣと、から構成されている。
【００２１】
前記包埋皿５９は、図４〜図７に示すように、長方形状の開口部２ａと、該開口部２ａと傾斜板部３ｋを介して連続する収容底部３と、該底部３の隅に形成された基準マーク５と、を備えている。
【００２２】
前記開口部２ａの上端面４の周縁４ｓ外側には、水密枠１４が立設されている。この水密枠１４は、開口部２ａの両長辺部と、右側の短辺部と、に設けられ、全体としてコ字状に形成されている。該水密枠１４の内周面１４ａは、水密面であり、カセット嵌合時にはカセット枠状基体１１の外周面１１aと水密に接触する。
左側の短辺部には、前記水密枠１４が設けられていないが、該左側の短辺部の上端面４には、カセット取り出し部１６ａが設けられている。
【００２３】
前記両長辺部の水密枠１４の内周面１４ａには、カセット位置決め用ストッパー突起６１が設けられている。このストッパー突起６１は、左側の短辺部寄りに設けられ、半円形をしている。
【００２４】
前記カセットＳＣのカセット枠状基体１１は、図８〜図１０に示すように、一対の長辺壁１１ｎと、一対の短辺壁１１ｍと、多孔底面１０と、を有する箱体であり、長方形状の開口部２１を備えている。前記短辺壁１１ｍの内、右側の短辺壁は、垂直状に形成され、その上面中央部には、係止突部１１ｃが設けられている。前記三つの壁１１ｎ、１１ｎ、１１ｍの外周面１１ａは、水密面であり、前記包埋皿５９に嵌合するときには、前記水密枠１４の内周面１４ａと水密に接触する。
【００２５】
前記両長辺壁１１ｎの外周面１１ａには、カセット位置決め用受け凹部１１ｅが設けられている。この受け凹部１１ｅは、前記カセット位置決め用ストッパー突起６１に対応する半円形凹部であり、カセット嵌着時には、両者１１ｅ、６１は、面接触して水密状態となる。
なお、前記図において、１１ｂはカセット枠状基体１１の蓋係止溝、１１ｄはカセット蓋係止突起形成溝部、をそれぞれ示す。
【００２６】
次に、本実施形態の作動について説明する。
薬品処理された病理組織試料３１を、図１１に示すように、包埋皿５９内の包埋剤３２内に漬けて、収容底部３に載置した後、図１２、図１３に示すように、カセット枠状基体１１のカセット位置決め用受け凹部１１ｅと包埋皿５９の水密枠１４のカセット位置決め用ストッパー突起６１とを位置合わせしながら前記カセットＳＣを包埋皿５９に嵌合させる。そうすると、前記受け凹部１１ｅと前記ストッパー突起６１は、位置決め手段として機能するので、両者は、設計通りに装着される。
【００２７】
前記包埋皿５９内の包埋剤３２は、前記カセットSCの多孔底面１０の上面上にまで達しているので、冷却されながら多孔底面１０に絡みつく。
【００２８】
この時、前記内周面１４ａと前記外周面１１ａ、前記受け凹部１１ｅと前記カセット位置決め用ストッパー突起６１、及び多孔底面１０の外側１０ｂと上端面４は、水密状態になっているので、前記両者間から包埋剤３２が侵入することがない。従って、バリの発生を防止することができる。
【００２９】
又、前記受け凹部１１ｅと前記カセット位置決め用ストッパー突起６１は、移動規正手段としても機能するので、前記両者の位置ズレが発生することもない。
【００３０】
前記包埋剤３２が完全に冷却した後、カセット取り出し部１６ａに指を入れて前記カセットＳＣ摘み、該包埋皿５９から取り出すと、前記病理組織試料３１は前記包埋剤３２を介して病理組織試料用カセットSCに固定された状態となっており、所謂包埋ブロック試料が完成する。この包埋ブロック試料には、前述の理由により、バリが付いていないので、バリ取り作業は不要である。
【実施例】
【００３１】
この考案の実施例を図１５〜図２５によりについて説明するが、図１〜図１４と同一図面符号は、その名称も機能も同一である。
（１）：  該病理組織試料用カセットＳＣの枠状基体１１の外周面１１ａと、該外周面１１ａに水密に嵌合する前記バリ無し包埋皿５９の水密枠１４の内周面１４ａとが包埋作業時において水密性を保て、且つ、該病理組織試料用カセットＳＣのカセット枠状基体１１が、該バリ無し包埋皿５９の所定の位置からズレることなく位置決定ができるように、図示はしていないが、該バリ無し包埋皿５９の水密枠１４の内周面１４ａの両側の内の、片方のみに該病理組織試料用カセットＳＣの枠状基体１１のカセット位置決め用ストッパー突起６１を突設し、該突起６１と嵌合する該病理組織試料用カセットＳＣのカセット枠状基体１１の外周面１１ａの位置に、カセット位置決め用受け凹部１１ｅ形成することでも良い。
【００３２】
（２）；包埋時において、包埋皿５９の上に前記カセットＳＣをセットする場合には、前記カセット枠状基体１１を包埋皿５９の開口部２ａの上から水平にして直に垂直に載せ設置する代わりに、包埋皿を透明と想定して示した、図１７に示すように、前記カセット枠状基体１１を斜めに差し込んで蓋を閉じるかの様に、包埋皿５９の上端面４上に設置する。そうすると、前記カセットＳＣの多孔底面１０下の包埋剤３２に泡が入るのを防止することができる。
【００３３】
その為には、バリ無し包埋皿５９の水密枠１４の内周面１４ａに突設した、カセット枠状基体１１のカセット位置決め用ストッパー突起６１の形状条件として、該突起６１と嵌合する該カセット枠状基体１１の外周面１１ａ位置に形成された、カセット位置決め用受け凹部１１ｅに嵌合する大きさと高さにすることは、重要条件であるが、それ以外の突起の形状には大きな条件はない。
【００３４】
しかし、図１７に示す如く、該カセット枠状基体１１を斜めに差し込んで、蓋を閉じる様に該包埋皿５９の上端面４上に設置する場合には、図１８に示す如く、前記受け凹部１１ｅの面積の大きさは、上記カセット位置決め用ストッパー突起６１より広い面積の大きさに形成するか、又は、半円形や半楕円形か台形や三角形等の該カセット枠状基体１１の多孔底面１０側に、裾広がりに開いた形状に形成するべきである。
【００３５】
図１８について更に説明すると、図１８（Ａ）（Ｄ）（Ｇ）（Ｊ）は半円形の受け凹部１１ｅ、図１８（Ｂ）は半横楕円形の受け凹部１１ｅ、図１８（Ｅ）は方形の受け凹部１１ｅ、図１８（Ｈ）は三角形の受け凹部１１ｅ、図１８（Ｋ）は台形の受け凹部１１ｅ、図１８（Ｃ）は、カセット枠状基体１１の厚さを越えた立て楕円形の受け凹部１１ｅ、図１８（Ｆ）はカセット枠状基体１１の厚さを越えた変則台形の受け凹部１１ｅ、図１８（Ｉ）はカセット枠状基体１１の厚さを越えた台形の受け凹部１１ｅ、図１８（Ｌ）はカセット枠状基体１１の厚さを越えた方形の受け凹部１１ｅ、をそれぞれ示す。
なお、図１８（Ａ）（Ｄ）（Ｇ）（Ｊ）の相違点は、データ記載面９の傾斜角度であり、（Ｄ）は（Ａ）より傾斜角度が小さい鋭角、（Ｇ）は直角（垂直）、（Ｊ）は鈍角、である。
【００３６】
この時、図１９〜図２１に示した様に、包埋剤流出防止堤１６ｂを該包埋皿５９の上端面４上に形成しておくと便利である。
【００３７】
（３）；該バリ無し包埋皿５９の水密枠１４の内周面１４ａに突設した、カセット枠状基体１１のカセット位置決め用ストッパー突起６１と嵌合する、カセット枠状基体１１の外周面１１ａ位置に形成されたカセット位置決め用受け凹部１１ｅの各々の形成位置は、図１９に示す位置がバリ無し包埋皿５９とカセット枠状基体１１の外周面１１ａ共に、最も良い位置と思われる。
【００３８】
しかし、図２０、２１に示すバリ無し包埋皿５９の水密枠１４の内周面１４ａに形成された、カセット位置決め用ストッパー突起６１に対応する位置に、該カセット枠状基体１１の外周面１１ａにカセット位置決め用受け凹部１１ｅを形成することも可能である。
【００３９】
この図２１に示すカセット位置決め用ストッパー突起６１に対応して嵌合する、カセット枠状基体１１の外周面１１ａ位置に形成されたカセット位置決め用受け凹部１１ｅの場合は、図８、図１０示すところのカセット枠状基体１１の外周面１１ａに形成されている、カセット蓋係止突起形成溝部１１ｄを図２２、２３、２４、２５に示す様に、該枠状基体１１の多孔底面１０まで掘り下げると、兼用可能となる。
【００４０】
（４）：図１８（Ａ）〜（Ｌ）に示す如く、該カセット位置決め用受け凹部１１ｅの形状のみならず、カセット枠状基体１１の形状を変えても、それらの形状に合わせたバリ無し包埋皿の水密枠１４を形成すれば、バリ無し包埋を実施することができる。
【００４１】
（５）：このバリ無し包埋皿５９の水密枠１４の内周面１４ａに突設した、カセット枠状基体１１のカセット位置決め用ストッパー突起６１と嵌合する、該カセット枠状基体１１の外周面１１ａ位置に形成された、カセット位置決め用受け凹部１１ｅは、前記バリ無し包埋皿５９にのみ利用できるのではなく、本考案者の前記先出願（特願２００２−２９０５３４号）の包埋枠との間にも応用ができる。
【００４２】
ここで包埋枠とは、バリ無し包埋皿の収容底部を取り去り、上側開口部も下側包埋枠開放底部も閉鎖された面がない、上下の上側開口部から下側包埋枠開放底部が開かれた筒状体を言う。
【００４３】
この包埋枠は、カセット枠状基体の下側包埋枠開放底部側に対して同等より狭く、該カセット枠状基体の外周面で囲まれた枠状基体全底面より若干狭い面積に絞り込み、該カセット枠状基体の周辺が載り落ち込まない形状に成形された包埋皿上端面を持ち、それより下の包埋収納部から包埋枠開放底面にかけて同等乃至窄まる大きさに成形して、且つ、その最終下側包埋枠開放底部の一端に左右或いは上下非対称になる基準マークを成形して、その下面に既成の大型の包埋皿乃至は汎用包埋皿または一枚の薄いプレートである（バリ無し包埋枠用底板）を敷いて密閉して、包埋剤を注入してコールドプレート上に移してパラフィン等の該包埋剤を凝固固化すると、バリ無し包埋ブロック試料を作製することができる。
【００４４】
（６）：前記実施例では、前記水密枠１４の内周面１４ａに、カセット位置決め用ストッパー突起６１を設け、前記カセット枠状基体１１の外周面１１ａに、前記カセット位置決め用ストッパー突起６１と水密に嵌合するカセット位置決め用受け凹部１１ｅを設けたが、前記突起と凹部を逆にしても良い。即ち、前記内周面１４ａに係止凹部を設け、前記カセット枠状基体１１の外周面１１ａに、前記係止凹部に水密に係合する係合突部を設けても良い。
【図面の簡単な説明】
【００４５】
【図１】従来例を示す図で、包埋皿と病理組織試験用カセットの平面図である。
【図２】包埋皿と病理組織試験用カセットを嵌合した状態を示す平面図である。
【図３】位置ズレ状態を示す平面図である。
【図４】本考案の実施の形態を示す図で、包埋ブロック作製具の包埋皿の斜視図である。
【図５】図４のＩ-Ｉ線縦断面図である。
【図６】図４のIＩ-ＩI線縦断面図である。
【図７】図４の左側面図である。
【図８】包埋ブロック作製具の病理組織試料用カセットの斜視図である。
【図９】図８のIII-III線縦断面図である。
【図１０】図８の右側面図である。
【図１１】包埋ブロック作製具の使用状態を示す図で、嵌合前の包埋皿と病理組織試料用カセットを示す斜視図である。
【図１２】包埋皿と病理組織試料用カセットの嵌合開始状態を示す斜視図である。
【図１３】包埋皿と病理組織試料用カセットの嵌合終了時の状態を示す斜視図である。
【図１４】図１３のIV-IV線縦断面図の○部分の拡大図である。
【図１５】図１３のV-V線縦断面図である
【図１６】図１３の左側面図である。
【図１７】包埋皿と病理組織試料用カセットの嵌合工程を示す図で、（Ａ）は嵌合途中を示す正面図、（Ｂ）は嵌合終了時の状態を示す正面図である。
【図１８】病理組織試料用カセットのカセット位置決め用受け凹部の各態様を示す正面図である。
【図１９】包埋剤流出防止堤を備えた包埋皿を示す平面図である。
【図２０】図１９と異なる位置にカセット位置決め用ストッパー突起を設けた包埋皿の平面図である。
【図２１】図１９と異なる位置に、カセット位置決め用ストッパー突起を一個設けた包埋皿の平面図である。
【図２２】図１８と異なる病理組織試料用カセットの縦断面図である。
【図２３】図２２の○の部分の拡大図である。
【図２４】前記病理組織試料用カセットと異なる、病理組織試料用カセットの斜視図である。
【図２５】図２４の右側面図である。
【符号の説明】
【００４６】
２ａ    開口部
４      上端面
４ｓ    上端面周縁
１１    カセット枠状基体
１１ａ  外周面
１１ｅ  カセット位置決め用受け凹部
１４    水密枠
１４ａ  内周面
５９    包埋皿
６１    カセット位置決め用ストッパー突起
ＳＣ    病理組織試料用カセット
【図１】
0003100779.tif 000003
【図２】
0003100779.tif 000004
【図３】
0003100779.tif 000005
【図４】
0003100779.tif 000006
【図５】
0003100779.tif 000007
【図６】
0003100779.tif 000008
【図７】
0003100779.tif 000009
【図８】
0003100779.tif 000010
【図９】
0003100779.tif 000011
【図１０】
0003100779.tif 000012
【図１１】
0003100779.tif 000013
【図１２】
0003100779.tif 000014
【図１３】
0003100779.tif 000015
【図１４】
0003100779.tif 000016
【図１５】
0003100779.tif 000017
【図１６】
0003100779.tif 000018
【図１７】
0003100779.tif 000019
【図１８】
0003100779.tif 000020
【図１９】
0003100779.tif 000021
【図２０】
0003100779.tif 000022
【図２１】
0003100779.tif 000023
【図２２】
0003100779.tif 000024
【図２３】
0003100779.tif 000025
【図２４】
0003100779.tif 000026
【図２５】
0003100779.tif 000027